(57)【要約】【課題】デジタル情報記録器において、取り外し可能な記録媒体に直接記録を行なう場合に、記録時間を保証できるようにする。【解決手段】内部コントローラ１０８は、番組の総ビット量と記録媒体の残り容量に応じて受信したビットストリームおよび情報再圧縮部で新たに生成したビットストリームのうちの何れかを記録するかを決定し、さらに情報記録部１０７を制御して番組の記録を開始させる。そして、内部コントローラ１０８は、番組の記録が終了するまでの間に、番組の未記録部分のビット量と記録媒体の残り容量に応じて、解像度、フレームレート、および符号化方式を変更して、番組の記録方式を修正する。【選択図】図１
2007213634.tif 000002
【特許請求の範囲】
【請求項１】
デジタル放送の番組を受信して得られたビットストリームを、取り外し可能な記録媒体に記録するデジタル情報記録器であって、
前記ビットストリームのビットレートを示すビットレート情報を求めるとともに、前記ビットストリームを復号化してベースバンド信号に戻すデコード部と、
前記ベースバンド信号を所定の符号化方式で符号化して、新たなビットストリームを生成する情報再圧縮部と、
前記番組を受信して得られたビットストリームおよび前記新たなビットストリームのうちの何れかを前記記録媒体に記録する情報記録部と、
前記番組の記録の開始時に、前記ビットレート情報が示すビットレートで前記番組を記録した場合の総ビット量を求め、前記総ビット量と前記記録媒体の残り容量に応じて、前記情報記録部が何れのビットストリームを記録するかを制御し、さらに、前記番組の記録が終了するまでの間に、前記番組の未記録部分を所定のビットレートで記録した場合の未記録ビット量を求め、前記未記録ビット量と前記記録媒体の残り容量に応じて、前記情報記録部が何れのビットストリームを記録するかを再制御する内部コントローラと、
を備えたことを特徴とするデジタル情報記録器。
【請求項２】
請求項１のデジタル情報記録器であって、
前記情報再圧縮部は、前記デコード部によって復号化されたビットストリームの解像度、またはフレームレートの少なくとも一方を変更した後に、前記符号化を行なうように構成されていることを特徴とするデジタル情報記録器。
【請求項３】
請求項１のデジタル情報記録器であって、
前記情報再圧縮部は、複数種類の符号化方法に対応するように構成され、
前記内部コントローラは、前記番組の記録の開始時に、前記総ビット量と前記記録媒体の残り容量に応じて、前記情報再圧縮部が行なう符号化方法を決定して、決定した符号化方式で符号化が行なわれるように前記情報再圧縮部を制御し、さらに、前記番組の記録が終了するまでの間に、前記未記録ビット量と前記記録媒体の残り容量に応じて、前記情報再圧縮部が行なう符号化方法を決定し、決定した符号化方式で符号化が行なわれるように前記情報再圧縮部を再制御するように構成されていることを特徴とするデジタル情報記録器。
【請求項４】
請求項１のデジタル情報記録器であって、
さらに、前記番組を記録可能な容量を有する記録媒体が２以上存在する場合に、何れの記録媒体に記録するかをユーザが選択できるユーザインターフェースを備えていることを特徴とするデジタル情報記録器。
【請求項５】
請求項１のデジタル情報記録器であって、
前記内部コントローラは、前記番組を記録可能な容量を有する記録媒体が２以上存在する場合に、予め定められた優先順位に従って選択した記録媒体に対して、前記情報記録部が記録を行なうように制御するように構成されていることを特徴とするデジタル情報記録器。
【請求項６】
請求項１のデジタル情報記録器であって、
前記取り外し可能な記録媒体は、消去可能な記録媒体であり、
前記内部コントローラは、前記取り外し可能な記録媒体の現在の残り容量が、前記総ビット量に満たない場合には、すでに記録済みのデータを消去するように構成されていることを特徴とするデジタル情報記録器。
【請求項７】
請求項１のデジタル情報記録器であって、
前記内部コントローラは、前記取り外し可能な記録媒体の現在の残り容量が、前記総ビット量に満たない場合には、前記番組の記録を中止するように構成されていることを特徴とするデジタル情報記録器。
【請求項８】
請求項１のデジタル情報記録器であって、
前記内部コントローラは、記録媒体が２以上存在する場合に、前記総ビット量の記録が可能な容量を有する記録媒体を選択し、選択した記録媒体に対して、前記情報記録部が記録を行なうように制御するように構成されていることを特徴とするデジタル情報記録器。
【発明の詳細な説明】
【技術分野】
【０００１】
本発明は、デジタル放送を取り外し可能な記録媒体に記録するデジタル情報記録器に関するものである。
【背景技術】
【０００２】
近年では、受信したアナログ放送の番組をデジタル化して、ＤＶＤ−ＲＡＭ等の光ディスクやハードディスク装置に記録するアナログレコーダが広く一般に普及している（例えば特許文献１を参照）。
【０００３】
上記のようなアナログレコーダでは、記録レートの違いによってＸＰモード、ＳＰモード、ＬＰモード、ＥＰモードと称される種々の記録モードで記録が可能なものがある。例えば記録媒体としてＤＶＤ−ＲＡＭのディスクを使用すれば、記録レートの最も高いＸＰモードでは１時間記録でき、次に記録レートの高いＳＰモードでは２時間記録でき、ＬＰモードでは４時間記録でき、ＥＰモードでは６時間記録できる。これは、ＶＨＳテープに記録するレコーダの記録モードが、通常記録モードでは２時間記録でき、３倍記録モードでは６時間記録できるのと比較的良く似ている。すなわち、記録レートごとに、録画時間が保証され、ユーザに差ほど違和感なく記録モードを選択できる。
【０００４】
一方、昨今の地上波デジタル放送の普及とともに、受信したデジタル信号をそのままハードディスク装置に記録するデジタルレコーダが登場している。地上波デジタル放送等のデジタル放送は、デジタル化されて圧縮されたビットストリームが送信されるものである。例えば地上波デジタル放送では、画質等が互いに異なるＳＤ（標準画質）とＨＤ（高品位画質）の放送モードがある。デジタル放送の番組を記録するデジタルレコーダにおいても、それぞれの放送モードに応じた記録レートで、ハードディスク装置に番組の記録を行なえるようになっている。
【特許文献１】特開平１１−３３９３７４号公報
【発明の開示】
【発明が解決しようとする課題】
【０００５】
しかしながら、デジタルレコーダにおいては、アナログレコーダのように、記録レートごとに、デジタル放送の録画時間が保証されているわけではない。これは、デジタル放送では、同じＳＤ同士の番組でも、あるいは同じＨＤ同士の番組でも、番組の内容によっては同じ時間の番組を記録するために必要な情報量（ビット量）に差が発生するので、記録モードと番組の録画時間からは、単純に記録すべきビット量を決定できないためである。
【０００６】
それゆえ、録画開始時に記録モードと録画時間から記録すべきビット量を予想しても、実際には予想したよりも多くのビット量の記録が必要になる場合が起こり得る。そのような場合、例えばＤＶＤ−ＲＡＭのような取り外し可能な記録媒体では、設定した記録モードによっては、十分な記録容量を確保できないことも起こり得る。
【０００７】
したがって、デジタル放送の番組を取り外し可能な記録媒体に対して直接記録できるようにデジタルレコーダを構成した場合には、記録モードの選択が不適切だと、ハードディスク装置に記録する場合と比べ、番組の記録に失敗する（番組を最後まで記録できない）可能性が大きい。
【０００８】
また、デジタル放送において、画質がＳＤである番組の標準的な圧縮レート（ビットレート）は、４Ｍｂｐｓから６Ｍｂｐｓである。すなわち、ＳＤには固定的に決まった圧縮レートはない。一方、画質がＨＤの番組の圧縮レートは、２０Ｍｂｐｓ程度である。そのため、番組内容が同じでもＳＤかＨＤかによって、記録媒体に記録できる時間が５倍も異なる。
【０００９】
また、近年では、主にモバイル機器に用いられる半導体メモリカード（例えばＳＤメモリカードやメモリースティック）や、据え置きの機器に用いられる様々な光ディスク（例えば、ＤＶＤ−ＲＡＭ、Ｂｌｕ−Ｒａｙ  Ｄｉｓｃ、ＨＤ−ＤＶＤ）等のような取り外し可能な記録媒体の種類が増えている。さらに、すでに携帯電話でサービスが始まっている記録レートの低いＭＰＥＧ４−ＳＰを採用した第３世代携帯電話のＦＯＭＡに加え、圧縮規格にＭＰＥＧ４−ＡＶＣを採用した１セグ（セグメント）のモバイル向けデジタル放送が２００６年から始まり、まさに圧縮規格についても乱立状態と言える。
【００１０】
このような状況では、今までのアナログレコーダになれた人にとっては、何れの記録モードが適切なのか極めてわかりづらく、かつ使いにくいと言える。これに対しては、例えば番組の最大のビットレート（例えば画質がＳＤの番組では６Ｍｂｐｓ）を想定し、記録媒体の容量に応じて、記録モードを自動的に選択するようにデジタルレコーダを構成することが考えられるが、これでは、記録された番組の画質が必要以上に劣化したり、記録媒体の記録容量が無駄に余ったりする可能性がある。
【００１１】
本発明は、上記の問題に着目してなされたものであり、取り外し可能な記録媒体に対して直接記録を行なう場合に確実に番組の記録を行なえる（すなわち記録時間を保証できる）デジタルレコーダ（以下、デジタル情報記録器とも呼ぶ）を提供することを目的としている。
【課題を解決するための手段】
【００１２】
前記の課題を解決するため、請求項１の発明は、
デジタル放送の番組を受信して得られたビットストリームを、取り外し可能な記録媒体に記録するデジタル情報記録器であって、
前記ビットストリームのビットレートを示すビットレート情報を求めるとともに、前記ビットストリームを復号化してベースバンド信号に戻すデコード部と、
前記ベースバンド信号を所定の符号化方式で符号化して、新たなビットストリームを生成する情報再圧縮部と、
前記番組を受信して得られたビットストリームおよび前記新たなビットストリームのうちの何れかを前記記録媒体に記録する情報記録部と、
前記番組の記録の開始時に、前記ビットレート情報が示すビットレートで前記番組を記録した場合の総ビット量を求め、前記総ビット量と前記記録媒体の残り容量に応じて、前記情報記録部が何れのビットストリームを記録するかを制御し、さらに、前記番組の記録が終了するまでの間に、前記番組の未記録部分を所定のビットレートで記録した場合の未記録ビット量を求め、前記未記録ビット量と前記記録媒体の残り容量に応じて、前記情報記録部が何れのビットストリームを記録するかを再制御する内部コントローラと、
を備えたことを特徴とする。
【００１３】
これにより、番組の記録が終了するまでの間に、未記録ビット量と記録媒体の残り容量に応じ、記録方式が修正されるので、取り外し可能な記録媒体に対して直接記録を行なう場合に記録時間を保証できる。
【００１４】
また、請求項２の発明は、
請求項１のデジタル情報記録器であって、
前記情報再圧縮部は、前記デコード部によって復号化されたビットストリームの解像度、またはフレームレートの少なくとも一方を変更した後に、前記符号化を行なうように構成されていることを特徴とする。
【００１５】
これにより、番組を受信して得られたビットストリームの解像度、またはフレームレートが変更されるので、記録すべきビット量を減らすことができる。
【００１６】
また、請求項３の発明は、
請求項１のデジタル情報記録器であって、
前記情報再圧縮部は、複数種類の符号化方法に対応するように構成され、
前記内部コントローラは、前記番組の記録の開始時に、前記総ビット量と前記記録媒体の残り容量に応じて、前記情報再圧縮部が行なう符号化方法を決定して、決定した符号化方式で符号化が行なわれるように前記情報再圧縮部を制御し、さらに、前記番組の記録が終了するまでの間に、前記未記録ビット量と前記記録媒体の残り容量に応じて、前記情報再圧縮部が行なう符号化方法を決定し、決定した符号化方式で符号化が行なわれるように前記情報再圧縮部を再制御するように構成されていることを特徴とする。
【００１７】
これにより、番組の記録が終了するまでの間に、未記録ビット量と記録媒体の残り容量に応じ、符号化方法（圧縮方法）が修正される。
【００１８】
また、請求項４の発明は、
請求項１のデジタル情報記録器であって、
さらに、前記番組を記録可能な容量を有する記録媒体が２以上存在する場合に、何れの記録媒体に記録するかをユーザが選択できるユーザインターフェースを備えていることを特徴とする。
【００１９】
これにより、番組を記録するための記録媒体をユーザが容易に選択できる。
【００２０】
また、請求項５の発明は、
請求項１のデジタル情報記録器であって、
前記内部コントローラは、前記番組を記録可能な容量を有する記録媒体が２以上存在する場合に、予め定められた優先順位に従って選択した記録媒体に対して、前記情報記録部が記録を行なうように制御するように構成されていることを特徴とする。
【００２１】
これにより、番組を記録するための記録媒体が自動的に選択される。
【００２２】
また、請求項６の発明は、
請求項１のデジタル情報記録器であって、
前記取り外し可能な記録媒体は、消去可能な記録媒体であり、
前記内部コントローラは、前記取り外し可能な記録媒体の現在の残り容量が、前記総ビット量に満たない場合には、すでに記録済みのデータを消去するように構成されていることを特徴とする。
【００２３】
これにより、後から記録される番組が優先して記録される。
【００２４】
また、請求項７の発明は、
請求項１のデジタル情報記録器であって、
前記内部コントローラは、前記取り外し可能な記録媒体の現在の残り容量が、前記総ビット量に満たない場合には、前記番組の記録を中止するように構成されていることを特徴とする。
【００２５】
これにより、十分な空き容量がないにも係わらず、一度しか書き込みのできない記録媒体に対して書き込みが行なわれて、記録媒体が無駄になるのを防止できる。
【００２６】
また、請求項８の発明は、
請求項１のデジタル情報記録器であって、
前記内部コントローラは、記録媒体が２以上存在する場合に、前記総ビット量の記録が可能な容量を有する記録媒体を選択し、選択した記録媒体に対して、前記情報記録部が記録を行なうように制御するように構成されていることを特徴とする。
【００２７】
これにより、番組を記録可能な容量を有する記録媒体が自動的に選択される。
【発明の効果】
【００２８】
本発明によれば、番組の記録が終了するまでの間に、未記録ビット量と記録媒体の残り容量に応じ、記録方式が修正されるので、取り外し可能な記録媒体に対して直接記録を行なう場合に記録時間を保証できる。
【発明を実施するための最良の形態】
【００２９】
以下、本発明の実施形態について図面を参照しながら説明する。図１は、本発明の実施形態に係るデジタル情報記録器１００の構成を示すブロック図である。デジタル情報記録器１００は、ユーザインターフェース１０を介したユーザからの指示に応じ、デジタル化されて圧縮されたビットストリームを、取り外し可能な記録媒体（同図に示す半導体メモリカード２０、および光ディスク３０）に記録するようになっている。ビットストリームは、例えば地上波デジタル放送などを受信して得た番組のデータ（映像データ、および音声データ等のデータ）である。また、半導体メモリカード２０は、例えばＳＤメモリカード（ＳＤ：Ｓｅｃｕｒｅ  Ｄｉｇｉｔａｌ）などの半導体メモリであり、光ディスク３０は、例えばＤＶＤ−ＲＡＭ（Ｄｉｇｉｔａｌ  Ｖｅｒｓａｔｉｌｅ  Ｄｉｓｃ−ＲＡＭ）等の光ディスクである。本実施形態では、何れの記録媒体に記録するかは、ユーザが、番組の録画を予約する際に、当該情報を番組予約情報に含め、ユーザインターフェース１０を介してデジタル情報記録器１００に指示する。
【００３０】
（デジタル情報記録器１００の構成）
デジタル情報記録器１００は、図１に示すように、バッファ１０１、デコード部１０２、解像度・フレームレート変換部１０３、ＭＰＥＧ４ＡＶＣ用符号化部１０４、ＭＰＥＧ４ＳＰ用符号化部１０５、ＭＰＥＧ２用符号化部１０６、情報記録部１０７、および内部コントローラ１０８を備えている。
【００３１】
バッファ１０１は、入力されたビットストリームを一定時間分だけ格納するようになっている。バッファ１０１としては、例えばＤＲＡＭ（Ｄｙｎａｍｉｃ  ＲＡＭ）などの半導体メモリや、ハードディスク装置を用いることができる。
【００３２】
デコード部１０２は、ビットストリームを復号化してベースバンドに戻し、解像度・フレームレート変換部１０３に出力するようになっている。さらに、デコード部１０２は、復号化の過程で、符号化パラメータを抽出して、内部コントローラ１０８に出力するようになっている。ここで符号化パラメータとは、復号化したビットストリームのビットレート、フレームレート、および解像度である。
【００３３】
解像度・フレームレート変換部１０３は、内部コントローラ１０８の制御に応じ、バッファ１０１に格納されているビットストリームに対して、解像度変換、およびフレームレート変換を行なうようになっている。ここで、解像度変換とは、例えば画質がＨＤである画像を、画質がＳＤである画像に変換して、圧縮効果を期待するものである。また、フレームレート変換とは、例えば、１秒間に３０枚の画像を、１秒間に２４枚の画像に変換して、圧縮効果を期待するものである。
【００３４】
ＭＰＥＧ４ＡＶＣ用符号化部１０４は、解像度・フレームレート変換部１０３の出力を、ＭＰＥＧ４ＡＶＣ方式で再圧縮するようになっている。
【００３５】
ＭＰＥＧ４ＳＰ用符号化部１０５は、解像度・フレームレート変換部１０３の出力を、ＭＰＥＧ４ＳＰ方式で再圧縮するようになっている。
【００３６】
ＭＰＥＧ２用符号化部１０６は、解像度・フレームレート変換部１０３の出力を、ＭＰＥＧ２方式で再圧縮するようになっている。以上のＭＰＥＧ４ＡＶＣ用符号化部１０４、ＭＰＥＧ４ＳＰ用符号化部１０５、およびＭＰＥＧ２用符号化部１０６を総称して符号化部と呼ぶ。また、解像度・フレームレート変換部１０３と各符号化部を合わせて情報再圧縮部と呼ぶ。
【００３７】
情報記録部１０７は、内部コントローラ１０８の制御に応じ、ＭＰＥＧ４ＡＶＣ用符号化部１０４等の符号化部によって再圧縮されたビットストリームおよびバッファ１０１に格納されているビットストリーム自体の何れかを選択して、取り外し可能な記録媒体に記録するようになっている。
【００３８】
内部コントローラ１０８は、符号化パラメータに基づいて、情報記録部１０７が記録媒体に記録を行なう際の記録方式（解像度・フレームレート、および符号化（圧縮）の方法）を決定するとともに、決定した記録方式に応じて、解像度・フレームレート変換部１０３、ＭＰＥＧ４ＡＶＣ用符号化部１０４、ＭＰＥＧ４ＳＰ用符号化部１０５、ＭＰＥＧ２用符号化部１０６、および情報記録部１０７を制御し、指示された番組（ビットストリーム）を、取り外し可能な記録媒体に記録させるようになっている。詳しくは、内部コントローラ１０８は、図２に示すフローチャートのように、記録方式の決定および解像度・フレームレート変換部１０３等の制御を行なう。
【００３９】
まず、ステップＳ００１では、ユーザインターフェース１０を介して取得済みの番組予約情報から録画時間情報を取得する。次に、ステップＳ００２では、符号化パラメータに含まれるビットレートを抽出する。
【００４０】
ステップＳ００３では、ビットレートと録画時間から、録画すべきビット量を算出する。ここで、録画すべきビット量とは、番組記録の開始時は、入力されたビットストリームをそのまま番組全体分だけ記録する際に生じると予想されるビット量（総ビット量）である。具体的に総ビット量は、デコード部１０２が抽出した符号化パラメータに含まれるビットレートと、番組予約情報から取得した録画時間情報から求める。また、後述するように番組の一部がすでに記録されている場合は、録画すべきビット量は、所定のビットレートで番組の残りを記録する際に生じると予想されるビット量（未記録ビット量）である。なお、所定のビットレートとは、符号化パラメータに含まれたビットレート、または各符号化部におけるビットレートである。
【００４１】
ステップＳ００４では、記録方式を決定する。詳しくは、記録媒体の残り容量から見て、Ｓ００３で求めたビット量のデータを記録可能か否か判断し、記録できると判断した場合は、バッファ１０１に格納されているビットストリームを取り外し可能な記録媒体に記録する。記録できない場合には、番組が取り外し可能な記録媒体に収まるように、解像度や圧縮方式（すなわち、ＭＰＥＧ４ＡＶＣ用符号化部１０４、ＭＰＥＧ４ＳＰ用符号化部１０５、ＭＰＥＧ２用符号化部１０６のうちの何れの符号化部を採用するか）を決定する。
【００４２】
決定の方法としては、例えば、ＭＰＥＧ４ＡＶＣ用符号化部１０４は、画質がＨＤの入力に対して、８Ｍｂｐｓのエンコードが可能な符号化ツールとし、ＭＰＥＧ４ＳＰ用符号化部１０５は、ＱＣＩＦの入力に対して、３８４ｋｂｐｓのエンコードが可能な符号化ツールとし、ＭＰＥＧ２用符号化部１０６は、画質がＳＤの入力に対して、４Ｍｂｐｓのエンコードが可能な符号化ツールとして、なるべく記録媒体の容量を使い切るようにこれらのツールから選択することが考えられる。なお、この選択基準は例示である。本来それぞれの符号化方式が上記のビットレートに固定されるものではないが、一般的に上記のような使われ方をすることが実際のアプリケーションでは多い。
【００４３】
ステップＳ００５では、解像度・フレームレート変換部１０３、および選択した符号化部を制御して、情報記録部１０７を介して、新たに生成されたビットストリームを取り外し可能な記録媒体に所定時間分だけ記録する。
【００４４】
ステップＳ００６では、番組の記録が終了していなければ、ステップＳ００２に制御を移行する。
【００４５】
以上のように、内部コントローラ１０８は、記録方式の決定および解像度・フレームレート変換部１０３等の制御を、ビットストリームの記録を終えるまでの間に、所定の時間間隔で複数回行なう。すなわち、デジタル情報記録器１００では、ビットストリームの記録を終えるまでの間に、解像度や圧縮の方法が複数回にわたり修正される場合がある。
【００４６】
（デジタル情報記録器１００の動作）
バッファ１０１は、入力されたビットストリームを一定時間分だけ格納する。デコード部１０２は、バッファ１０１に格納されているビットストリームを復号化して、ベースバンドに戻す。さらに、デコード部１０２は、符号化パラメータを抽出し、内部コントローラ１０８に出力する。内部コントローラ１０８は、ビットレートと録画時間から録画すべきビット量を算出する。ここで、例えば記録媒体の残り容量から見て、求めたビット量を記録できる場合は、情報記録部１０７は、バッファ１０１に格納されているビットストリームを取り外し可能な記録媒体に所定時間だけ記録する。その後、内部コントローラ１０８は、再び符号化パラメータに含まれるビットレートを抽出して、番組の残りを記録する際に生じると予想されるビット量を算出する。
【００４７】
デジタル放送では、実際にビットストリームを受信するまでは情報量が確定しないので、記録媒体に番組全体を記録できると番組の開始直後に判断した場合であっても、予想したよりも記録すべきビット量が大きくなってしまう場合がある。その場合は、記録媒体の残り容量によっては、番組を最後まで記録媒体に記録できない可能性がある。そこで、デジタル情報記録器１００では、ビットストリームの記録を終えるまでの間に、所定の時間間隔で記録方式の修正を行なう。
【００４８】
内部コントローラ１０８は、記録媒体の残り容量から見て、求めたビット量を記録できないと判断した場合は、番組の残り部分が、取り外し可能な記録媒体に収まるように、解像度や圧縮方式を決定する。例えば、記録媒体の残り容量が１ＧＢで、ＭＰＥＧ２方式（ＭＰＥＧ２用符号化部１０６における符号化方式）で番組の残り部分を圧縮した場合に予想されるビット量が２ＧＢであるような場合には、内部コントローラ１０８は、解像度・フレームレート変換部１０３における解像度が現状の半分以下になるように変更する。その後、内部コントローラ１０８は、解像度・フレームレート変換部１０３、選択した符号化部（例えばＭＰＥＧ２用符号化部１０６）、および情報記録部１０７を制御して、新たに決定した解像度と圧縮方式で、番組の残り部分を所定時間だけ記録する。デジタル情報記録器１００においては、上記の記録方式の決定と所定時間の記録が、指定された番組の記録が終了するまで繰り返される。
【００４９】
上記のように、本実施形態によれば、番組の記録が終了するまでの間に、未記録ビット量と記録媒体の残り容量に応じ、ビットストリームの記録方式が修正されるので、デジタル放送の記録時間を保証できる。
【００５０】
なお、上記のように、必ずしも解像度を変換した上で、再圧縮する必要は無く、例えば再圧縮のみを行なうようにしてもよい。
【００５１】
また、フレームレートのみを変更してから再圧縮して記録したり、フレームレートと解像度の両方を変更してから再圧縮して記録したりするようにしてもよい。
【００５２】
また、解像度の変換や再圧縮を行なっても、記録媒体に記録できない場合には、記録を中止するようにしてもよい。これにより、十分な空き容量がないにも係わらず、一度しか書き込みのできない記録媒体に対して書き込みが行なわれて、記録媒体が無駄になるのを防止できる。
【００５３】
また、記録媒体として複数種類のものを選択できる場合には、何れの記録媒体に記録できるかを内部コントローラ１０８で判断してもよい。例えば、取り外し可能な記録媒体として、ＤＶＤ−Ｒの２層記録（９．４ＧＢ）のディスク、およびＢｌｕ−Ｒａｙディスク（５０ＧＢ）が選択可能とする。また、入力されたビットストリーム（番組）が、画質がＨＤの２時間の映画であり、デコード部１０２でデコードした後のビットレートが２５Ｍｂｐｓであるとする。ここ例では、Ｂｌｕ−Ｒａｙディスクには、この記録レートでは４時間以上記録できるので、問題なくＢｌｕ−Ｒａｙディスクに対して直接記録が可能である。また、ＤＶＤ−Ｒの２層記録のディスクには、デコード部１０２でデコードした後に、ＭＰＥＧ４ＡＶＣ用符号化部１０４によって８Ｍｂｐｓに再圧縮（符号化）すれば、２時間以上記録できるので、選択肢の１つとなる。このように、ビットレートと記録時間と記録媒体の空き容量が確定すれば、最適な符号化ツールと記録媒体の組み合わせを求めることができる。なお、符号化部をパラレルに動作できるように実装すれば、例えば、上記のような２つの記録媒体に同時に記録することも可能である。
【００５４】
また、２種類以上の記録媒体に対して記録可能と判断された場合には、例えばユーザインターフェース１０を介して、何れの記録媒体に記録できるかを伝え、記録を行なう記録媒体をユーザが選択できるようにしてもよいし、予め使用する記録媒体の優先順位を定めておき、その優先順位に従って、使用する記録媒体を選択するようにしてもよい。
【００５５】
また、記録媒体がデータを消去可能な記録媒体であり、現在の残り容量が、記録すべきビット量に満たない場合には、すでに記録済みのデータを消去するようにしてもよい。
【００５６】
また、内部コントローラ１０８は、例えば所定容量のデータを記録するごとに、記録方式の修正等を行なうように構成してもよい。
【産業上の利用可能性】
【００５７】
本発明に係るデジタル情報記録器は、番組の記録が終了するまでの間に、未記録ビット量と記録媒体の残り容量に応じ、記録方式が修正されるので、取り外し可能な記録媒体の対して直接記録を行なう場合に記録時間を保証できるという効果を有し、デジタル放送を取り外し可能な記録媒体に記録するデジタル情報記録器等として有用である。
【図面の簡単な説明】
【００５８】
【図１】本発明の実施形態に係るデジタル情報記録器の構成を示すブロック図である。
【図２】内部コントローラ１０８の動作を示すフローチャートである。
【符号の説明】
【００５９】
１０      ユーザインターフェース
２０      半導体メモリカード
３０      光ディスク
１００      デジタル情報記録器
１０１      バッファ
１０２      デコード部
１０３      解像度・フレームレート変換部
１０４      ＭＰＥＧ４ＡＶＣ用符号化部
１０５      ＭＰＥＧ４ＳＰ用符号化部
１０６      ＭＰＥＧ２用符号化部
１０７      情報記録部
１０８      内部コントローラ
【図１】
2007213634.tif 000003
【図２】
2007213634.tif 000004